(57)【要約】【課題】サーマルヘッドとプラテンローラが分離するプリンタモジュールを使用したレストランプリンタにおいて、感熱ロール紙のたるみによる搬送不良をなくし、そのたるみにより発生するロール紙左右端面の折れ曲がりを無くす構造を備えたレストランプリンタを提供する。【解決手段】感熱ロール紙交換用の前扉側にプリンタモジュールの給紙口を後方へ移動させるガイドと感熱ロール紙のたるみをスムーズに寄せるガイドとを設け、レストランプリンタ本体側において横壁を連続した同一面にすることで、たるんだ部分の横方向のずれを規制する構造とした。【選択図】    図１
2004306561.tif 000002
【特許請求の範囲】
【請求項１】
紙排出口が前面に配置され、使用する感熱ロール紙を交換するための扉も前記紙排出口と同一面の前面に配置されているプリンタにおいて、給紙時における感熱ロール紙の引き出し角度を強制的に変えるガイドを設けたことを特徴とするプリンタ。
【請求項２】
前記ガイドは、更に、前記感熱ロール紙の交換時、または運用時に発生する感熱ロール紙の巻きたるみを規制する機能も有することを特徴とする請求項１に記載のプリンタ。
【請求項３】
更に、感熱ロール紙を収納するロール紙収納部内において、感熱ロール紙のロール回転方向に対して垂直の方向に該感熱ロール紙が移動しないように規制する側壁を前記感熱ロール紙の端面全面に亘って設け、感熱ロール紙の端面折れを防止するように構成したことを特徴とする請求項１または２に記載のプリンタ。
【発明の詳細な説明】
【０００１】
【発明の属する技術分野】
本発明は、例えば、外食店舗（レストラン、居酒屋、ファーストフード等）内において、客からの注文内容を料理担当者に対し調理指示伝票として印字出力する調理指示伝票出力用のプリンタや、客への精算内容を会計伝票として印字出力する会計伝票出力用のプリンタに関し、特に該プリンタ内に収納する記録用紙の収納構造に関する。
【０００２】
【従来の技術】
従来から、レストラン、居酒屋あるいはホテル等では無線式注文データ管理装置が使用されている。無線式注文データ管理装置の一例を概略説明すると、接客担当者が客から料理の注文を受けた場合、携帯している注文入力装置に、テーブル番号等とともに注文を受けた各メニューを入力する。
【０００３】
この入力された注文データは、前記注文入力装置から無線送信される。前記無線送信された注文データは、店舗内の各コーナー等に設置された無線制御装置によって受信され、各種データの処理や一元管理等を行うデータ管理装置に出力される。前記データ管理装置では、前記注文データ及び該注文データを受信した時刻、接客担当者を識別する番号等の情報を記憶装置に記憶する。
【０００４】
そして、厨房に設置されたレストランプリンタから調理指示用の伝票を印刷出力して、調理担当者に調理の指示を送る。また一方、客室近傍に設置された別なレストランプリンタから会計用伝票が印刷出力され、これは接客担当者により客に手渡される。
【０００５】
調理担当者は調理指示伝票に従って調理を開始し、調理完了するとその旨を接客担当者に通知する。これにより、接客担当者は注文を受けた客に調理を運んで配膳することになる。（例えば、非特許文献１参照。）
これらのレストランプリンタは、上記のように通信手段として無線を用いたものや有線を用いたものがあり、調理指示用の伝票を印刷出力する調理指示伝票用レストランプリンタも会計用伝票を印刷出力する会計伝票用レストランプリンタも、その構造は基本的に同じであり、印字内容が用途に応じて出力されるように印字内容を制御する電気的制御回路部分が相違するだけである。
【０００６】
以下に、無線方式のレストランプリンタを一例として説明する。
【０００７】
図３は、従来のレストランプリンタの内部構造を模式的に示す構造図である。この図に示すように、これらのレストランプリンタ４０は、通信手段として無線部４１９を装備し、印字部分はサーマルヘッドを有するプリンタモジュール４３０を備えている。
【０００８】
このプリンタモジュール４３０は、以下に説明するように、ロール状の感熱ロール紙４０２をロール紙収納部４３１に収納する際に、交換用扉４１１を開くことにより、サーマルヘッド４０６に対するプラテンローラ４０７の押圧状態が開放されるプラテンローラー脱着方式の構造となっている。また、このサーマルプリンタモジュール４３０は、印字した部分を余分な余白無しに最適な長さに切断するオートカッタ４０４も装備している。
【０００９】
配置的には、ロール紙収納部４３１に収納された感熱ロール紙の上部に印字用のサーマルヘッド４０６を有したサーマルプリンタモジュール４３０があり、そのサーマルプリンタモジュール４３０の紙排出口４０５の近傍に前記のオートカッタ４０４が取り付けられている。このオートカッタ４０４は、感熱ロール紙４０２の走行方向に対し垂直に切断するためのシャーリング式の可動刃４０８が、感熱ロール紙４０２の上方からほぼ垂直に降りてきて、感熱ロール紙４０２の下部に位置している固定刃４０９とかみ合わさることで切断する構造になっている。
【００１０】
印字して切断された紙の排出口と感熱ロール紙の交換用扉４１１は、レストランプリンタの前面部に位置している構造となっており、この交換用扉４１１はレストランプリンタ本体の前面最下部のヒンジ部４１２を介して開閉可能に連結されている。この交換用扉４１１の内側には、印字時、サーマルヘッド４０６を押圧するプラテンローラ４０７と、印字した部分を余分な余白無しに最適な長さに切断するオートカッタ４０４の固定刃４０９とが取り付けられている。
【００１１】
そのため、感熱ロール紙等の交換時、交換用扉４１１を開くと、感熱ロール紙４０２をサーマルヘッド４０６とプラテンローラ４０７とではさみこみながら印字していた状態から、サーマルヘッド４０６とプラテンローラ４０７とが分離した状態となり、前記印字したサーマル紙を最適な長さに切断するオートカッタ４０４のサーマル紙搬送経路が完全に開放されることになる。
【００１２】
これは、サーマルヘッド４０６を有したプリンタモジュール４３０が、レストランプリンタ本体側に取り付けられているサーマルヘッド４０６と交換用扉４１１側に取り付けられているプラテンローラ４０７とが分離し、同じようにレストランプリンタ本体側に取り付けられたオートカッタ４０４の可動刃４０８と交換用扉４１１側に取り付けられている固定刃４０９が分離可能な構造となっている為である。
【００１３】
従って感熱ロール紙４０２の交換は、交換用扉４１１を開き感熱ロール紙４０２をレストランプリンタ本体側のサーマルヘッド４０６を有したプリンタモジュール４３０の下部に設けられたロール紙収納部４３１に感熱ロール紙４０２を落とし込むように挿入し、交換用扉４１１を閉じた時に排出口４０５から前記感熱ロール紙４０２の先頭部分が（感熱ロール紙の使いはじめ部分）十分に出る長さまで引き出して交換用扉４１１を閉じる。
【００１４】
この交換用扉４１１を閉じることによって、レストランプリンタ本体側に取り付いているサーマルヘッド４０６を交換用扉４１１に取り付いているプラテンローラ４０７が押圧し、印字可能な状態となる。同様に、レストランプリンタ本体側に取り付いているオートカッタ４０４の可動刃４０８と交換用扉４１１側に取り付いている固定刃４０９も通常のシャーリング方式のオートカッタの基本構造である可動刃と固定刃の位置関係が成り立ち、感熱ロール紙４０２を適宜の長さに切断することが可能な状態となる。
【００１５】
従って、印字する際、このプラテンローラ４０７が回転することにより感熱ロール紙４０２が搬送される。この感熱ロール紙４０２が排出口４０５方向に搬送されると、ロール状に巻かれた感熱ロール紙４０２は、ロール紙収納部４３１内で感熱ロール紙４０２の外周が滑るようにして回転する（例えば、特許文献１参照。）。
【００１６】
【非特許文献１】
会田邦弘・浅川明著「オーダーシステムが外食産業を変える」泉文堂、１９９９年２月２０日、Ｐ１７
【００１７】
【特許文献１】
特開２００１−２９３９２７号公報
【００１８】
【発明が解決しようとする課題】
従来のような感熱ロール紙交換時、交換用扉を開くことにより印字用サーマルヘッドとプラテンローラ、可動刃と固定刃がそれぞれ分離するレストランプリンタにおいて、感熱ロール紙の保持が特になく、ロール紙収納部のくぼみに置かれた感熱ロール紙がロールの外周で滑ることによって回転する構造では、印字時プリンタモジュール側から見た場合、感熱ロール紙の給紙つまり引き込み力に対し感熱ロール紙のロール外周部とレストランプリンタ本体側の感熱ロール紙設置部（ロール紙収納部）のくぼみの部分との摩擦による負荷が大きく、その分プラテンローラを回転駆動させるモーターもより強力なトルクが必要になる。
【００１９】
多くの場合、その対策として、感熱ロール紙のロール外周部とレストランプリンタ本体側の感熱ロール紙設置部（ロール紙収納部）のくぼみの部分の接触する部分に摩擦負荷軽減のために回転ローラーを設ける場合もある。しかしながらこの方法では、滑らかに回転するローラーという構成部品が増えるうえに、このローラー上を感熱ロール紙が回転した場合、ロール自体の巻きたるみが発生する。この巻きたるみが発生した場合、ロール状に巻かれた感熱ロール紙は、自重でレストランプリンタ本体側の感熱ロール紙設置部（ロール紙収納部）のくぼみの部分に下面で接触しているため、たるみは感熱ロール紙の上方にたるんでいく傾向にある。
【００２０】
本発明に係るレストランプリンタは、厨房や接客者控え室といった比較的狭い場所に設置されるものであり、しかも設置スペースは極力少なくなるように設置したいとの店舗ニーズがある。そのために、設置スペースが小さい図３中のＡ面側を底面とした縦長の姿勢で設置可能な構造とし、しかも、感熱ロール紙の交換も容易なように操作性を考慮して、図３中のＤ面側に感熱ロール紙交換用の扉を設けているものである。
【００２１】
例えば、コンビニエンスストアやスーパーマーケットで使用されているＰＯＳレジシステムでは、同様のサーマルプリンタがＰＯＳレジシステムに組み込まれて使用されているが、このサーマルプリンタは操作性及び設置の容易性を考慮して、図３中のＢ面側が下方になるように設置され、感熱ロール紙交換用の扉、即ちＤ面側が上方になるように設けられている。
【００２２】
このように本発明に係るレストランプリンタと上記のようなＰＯＳレジシステムに組み込まれて使用されているサーマルプリンタとは、一見、設置する姿勢のみが異なるように見えがちであるが、設置する姿勢が異なることにより、内部に収納する感熱ロール紙の収納状態が異なって、それに起因する以下に説明するような課題がある。
【００２３】
ＰＯＳレジシステムに組み込まれて使用されているサーマルプリンタに見られるような、感熱ロール紙の交換時に扉を上方向へ開く構造では、収納した感熱ロール紙のたるみが上に発生しても十分に空間的に十分な余裕があり、また感熱ロール紙と印字用プリンタモジュールの位置関係も横方向へ並列して設置できることもあり、感熱ロール紙を搬送する角度も垂直方向より小さくできる。
【００２４】
これは、下面が接触している感熱ロール紙を引っ張ったとき多少でも横方向の力が働くため、プリンタモジュールのプラテンローラが給紙するための負荷が軽減される。また、角度的に感熱ロール紙の引っ張りを受ける部分が垂直より上方向に広がっているため、たるみも規制を受けることなく上方向に扇形に広がることができる。また、たるみの最も大きい感熱ロール紙の上方頂点部分にプリンタモジュールの給紙ガイドがないためたるんだ部分を引き込むこともない。
【００２５】
本発明に係るレストランプリンタのような構造では、前述したように感熱ロール紙の上部に印字ヘッドを有したプリンタモジュールがあり、そのプリンタモジュールの紙排出口の近傍にオートカッタが取り付けられている。このオートカッタは、感熱ロール紙の搬送方向に対し垂直に切断するためのシャーリング式の可動刃が、感熱ロール紙の上方からほぼ垂直に降りてきて、感熱ロール紙の下部に位置している固定刃とかみ合わさることで切断する構造になっている。
【００２６】
印字して切断された紙の排出口と感熱ロール紙の交換用扉は、レストランプリンタの前面（図３中、Ｄ面側）に位置している構造となっており、この交換用扉はレストランプリンタ本体のＤ面最下部のヒンジ部を介して開閉可能に連結されている縦方配置であるため、プリンタモジュールが、感熱ロール紙を紙送りしたとき、垂直方向より交換用扉（Ｄ面）側へ引っ張るため、感熱ロール紙を交換用扉（Ｄ面）側へ引き寄せる力が加わる。
【００２７】
これにより感熱ロール紙のたるみの空間が縮小され、許容できるたるみ量に限度ができる。限度を超えたたるみ量になると、そのたるんだ感熱ロール紙は自由が効かなくなり、感熱ロール紙の前方上部（交換用扉側）とプリンタモジュールから引っ張られている感熱ロール紙の部分に挟まれ最終的にプリンタモジュールの給紙口に入り込み、感熱ロール紙の片側から引っ張ることによって回転して給紙を行っていた状態が、感熱ロール紙を両方から引っ張る形となり、回転できなくなる。
【００２８】
またプリンタモジュールは、回転できない感熱ロール紙を更に給紙口から引っ張り込もうとするが、給紙口に感熱ロール紙のロール自体が入ることは不可能なため、引き込み力に対する負荷がプラテンローラを駆動するモーターのトルクより大きくなり、完全にロックしてしまう。
【００２９】
このメカニズムの回避策として、感熱ロール紙のたるみを十分許容できるだけの空間を設けることが可能ならばそれでも問題は無いのだが、たるみは、感熱ロール紙の給紙負荷の軽減策として用いるような前述の回転ローラを使用した場合のみでなく、ユーザーが感熱ロール紙を交換する際、たるみが生じた感熱ロール紙をそのままの状態でロール紙収納部にセットするという可能性もある。
【００３０】
また、このたるみは、感熱ロール紙の保持構造によるが、感熱ロール紙の中心にシャフト等を貫通させて回転させる構造と違い、ロール紙収納部のくぼみ部に置いて感熱ロール紙のロール外周部を滑らせて回転させる構造なので、感熱ロール紙のたるんだ分は、使用中に無くなることはない。また、感熱ロール紙の左右両端面方向を規制している感熱ロール紙設置部分（ロール紙収納部）の横壁も部分的なものだけでは効果も無くなり、印字、切断し排出された感熱ロール紙（伝票等）の片側のみ感熱ロール紙の端面部分がつぶれてしまう。
【００３１】
これは、たるんだ状態の感熱ロール紙は、１枚から数枚の部分で、無理に横方向のずれを規制しようという力が働き、感熱紙のこしが耐え切れなくており曲がったためである。このように店舗内での使用中、特に繁忙期に感熱ロール紙を交換することになった場合、確実にたるみなく感熱ロール紙をセットするのは不可能であり、そのたるみが原因で印字した顧客へ提出する伝票の端が折れ曲がる場合があり、品質的にも不十分である。また、感熱ロール紙をロール紙収納部内のくぼみに感熱ロール紙の左右両端面を規制するように収納し、ロール外周面を接触させ回転させるような構造では、感熱ロール紙のセット時にたるみを作ってしまうと次の交換時まで無くならないといった状況となる。
【００３２】
そこで本発明は、プリンタモジュールへの感熱ロール紙給紙口近傍にガイドを設けることにより、感熱ロール紙の引き出し角度を変え、たるみが終結する部分から遠ざける構造とし、感熱ロール紙のロール回転方向のたるみが他の箇所に影響しないよう交換用扉にもガイドを設け、更にロール回転方向と垂直方向のたるみによる感熱ロール紙の端面折れも規制する連続する横壁を備えることにより、安定した紙送り、感熱ロール紙の交換性、装置の小型化が向上するレストランプリンタを提供することを課題とするものである。
【００３３】
【課題を解決するための手段】
上記課題を解決するするために、本発明の感熱ロール紙の搬送ガイドとしては、交換用扉の内側に、給紙時における感熱ロール紙の引き出し角度を強制的に変えるための先端部ガイドとロール回転方向のたるみ規制のための摺動性のよい根本部ガイドを設け、更に、前記２つのガイドを一体化した構造とした。また、レストランプリンタ本体側には感熱ロール紙のたるみをロール回転方向と垂直な方向への規制をする連続した横壁を設けることにより、外径サイズが最も大きい未使用感熱ロール紙を装着した場合でも感熱ロール紙の左右側面がプリンタモジュールの給紙口に引き込まれるまで規制され、たるみによる横ずれの発生を抑える構造とした。
【００３４】
【発明の実施の形態】
本発明の実施の形態について、図面に基づいて以下に説明する。
【００３５】
図１は、本発明に係るレストランプリンタの断面図である。本レストランプリンタは、レストラン、居酒屋、ホテルあるいはファーストフード等で用いられ、注文データ管理装置の一部を構成する装置の中のデータ出力装置であり、まず、この注文データ管理装置の全体構成、及びその使用例について概略説明する。
無線方式の注文データ管理装置を一例として取り上げ、その使用例を説明する。なお、本発明のレストランプリンタは無線方式のものに限定されるものではなく、有線方式のものであっても適用可能である。
【００３６】
接客担当者が客から料理の注文を受けた場合、携帯している注文入力装置に、テーブル番号等とともに注文を受けた各メニューを入力する。この入力された注文データは、前記注文入力装置から無線送信される。前記無線送信された注文データは、店舗内の各コーナー等に設置された制御装置によって受信され、各種データの処理や一元管理等を行うデータ管理装置であるレストランプリンタに出力される。前記データ管理装置では、前記注文データ及び該注文データを受信した時刻、接客担当者を識別する番号等の情報を記憶装置に記憶する。
【００３７】
そして、厨房に設置されたレストランプリンタから調理指示用の伝票を印刷出力して、調理担当者に調理の指示を送る。また、会計用伝票が別の異なるレストランプリンタから印刷出力され、これは接客担当者により客に手渡される。調理担当者は調理指示伝票に従って調理を開始し、調理完了するとその旨を接客担当者に通知する。これにより、接客担当者は注文を受けた客に調理を運んで配膳することになる。なお、説明した無線方式の他に、電磁誘導コイルを用いて注文データの送受信を行う電磁誘導方式の注文入力装置もある。
【００３８】
以上のようにして用いられる本レストランプリンタは、前記データ管理装置での、前記注文データ及び該注文データを受信した時刻、接客担当者を識別する番号等の情報を記憶した記憶装置から送られた情報を無線により受け取り、前記記憶装置からの指示に従って、調理指示用に伝票を出力する。また、客室近傍に設置されたレストランプリンタには、顧客に渡す会計用伝票を出力する。
【００３９】
そこで、図１に示すように、前記記憶装置からの情報をアンテナ１１９で受け、制御基板１２０で処理し、印字は、プリンタモジュール１０３に、切断はオートカッタ１０４にそれぞれ指示を送る。従ってそれぞれ用途の異なる伝票出力であるが、基本は同じサーマル印字で、ロール状に巻かれた使用前の感熱ロール紙１０２をレストランプリンタ本体１０１の内部に格納でき、その上部に印字用のプリンタモジュール１０３を配置し、伝票内容を印字した感熱ロール紙を伝票の形にするために切断するオートカッタ１０４が前記プリンタモジュール１０３の伝票排出口１０５側に設けられている。
【００４０】
オートカッタ１０４で切断した伝票は、レストランプリンタ装置１０１の伝票排出口１０５から排出（出力）される。またこのプリンタモジュール１０３は、印字用ヘッド１０６と印字時感熱ロール紙を挟みこみ押さえつける働きをするプラテンローラー１０７とが分離可能な構造のものであり、同じようにこのオートカッタ１０４も可動可能な可動刃１０８と固定刃１０９が分離可能な構造のものである。このオートカッタ１０４は感熱ロール紙１０２の伝票排出口近傍の走行方向に対し垂直に切断するためのシャーリング式の可動刃１０８が、印字された感熱ロール紙１１０の上方からほぼ垂直に降りてきて、印字された感熱ロール紙１１０の下部に位置している固定刃１０９とかみ合わさることで切断する構造になっている。
【００４１】
印字して切断された紙の排出口１０５（本レストランプリンタ装置の伝票排出口１０５）と、感熱ロール紙の交換を行うために開閉自在に設けられた交換用扉１１１は、レストランプリンタの前面に位置している構造となっており、交換用扉１１１はレストランプリンタ本体１０１の前面最下部のヒンジ１１２部を介して開閉可能に連結されている。この交換用扉１１１の内側には、印字時、サーマルヘッド１０６に感熱ロール紙を押さえつけているプラテンローラ１０７と印字した部分を余分な余白無しに最適な長さに切断するオートカッタ１０４の固定刃１０９が取り付けられている。
【００４２】
そのため感熱ロール紙１０２等の交換時、レストランプリンタ本体１０１の下部に位置するヒンジ１１２を支点として回転することにより、交換用扉１１１を開くと感熱ロール紙を印字ヘッド１０６とプラテンローラ１０７ではさみこみながら印字し、前記印字したサーマル紙を最適な長さに切断するオートカッタ１０４のサーマル紙搬送経路が完全に開放されることになる。
【００４３】
これは、前記のように印字ヘッド１０６を有したプリンタモジュール１０３が、レストランプリンタ本体１０１側に取り付けられている印字ヘッド１０６と交換用扉１１１側に取り付けられているプラテンローラ１０７に分離し、同じようにレストランプリンタ本体１０１側に取り付けられたオートカッタ１０４の可動刃１０８と前扉１１１側に取り付けられている固定刃１０９が分離可能な構造である為である。
【００４４】
また、感熱ロール紙１０２は、レストランプリンタ本体の下部に造形したＵ字部分１１３で位置が決まっているが、前記Ｕ字部分１１３表面には、印字時プリンタモジュールにより引っ張られ回転する感熱ロール紙との摩擦抵抗を下げるため、摺動性のよいテフロンシート１１４が貼り付けられている。これは、前記のように印字時プリンタモジュールのプラテンローラが回転することにより、感熱ロール紙を引っ張り込む。
【００４５】
ロール端面を引かれた感熱ロール紙は、レストランプリンタ本体下部のＵ字形の部分１１３と感熱ロール紙１０２の外周下面１１５が摺動しながら矢印の方向へ回転する。そのとき、感熱ロール紙の引っ張り方向がどうしても前方向（伝票排出口１０５方向）になるので、感熱ロール紙１０２にも交換用扉の方向へ押し付けられる力が働く。それを規制するためレストランプリンタ本体下部にストッパ１１６を設けている。
【００４６】
感熱ロール紙１０２は、このストッパにより動きを規制され、印字を行っていないときの感熱ロール紙１０２の位置で回転する。また、感熱ロール紙１０２のたるみは、ロールの引き出し部分１１７と交換用扉との間に寄せられる。本来のプリンタモジュール自体の給紙口１１８は、たるみの寄せられた部分の近傍に位置しているのだが、交換用扉に設けたガイド１２１により感熱ロール紙の引き出し角度がレストランプリンタ本体の後方へ強制的に変えられることにより、給紙口が後方へ移動したことと同じことになる。
【００４７】
つまり、感熱ロール紙１０２のたるみが最終的に寄せられる部分に給紙口が無くなることにより、たるんだ部分が本来の感熱ロール紙の引き出し部分と一緒に給紙口に入ることはなくなる。従って、感熱ロール紙１０２を引き込む働きをするプラテンローラ１０７を駆動させているステッピングモーターにかかる異常な負荷がなくなる。つまりステッピングモーターのロック（脱調）がなくなる。
【００４８】
また、前記交換用扉に設けたガイド１２１は、感熱ロール紙１０２のたるみが前面上部に寄せられたとき、プラテンローラ取り付け部分等のくぼみ部分１２２に入り込まないために設けたガイド１２３と一体化しており、たるんだ部分に負荷がかからなく上部へたるみを寄せられるようになめらかな連続した曲線でガイド１２１につながっている。
【００４９】
これにより、感熱ロール紙１０２のたるんだ部分は、紙自体のこしによりガイドの表面をすべりこのガイドに習って上へ寄せられる。これらのガイドは摺動性のよい樹脂にて一体化され、部品点数としてもすくなくてすむ。さらにこれは、組立工数の削減にもなる。また、レストランプリンタ本体側の横壁であるが、図２に示すように、レストランプリンタ本体の下部のＵ字形の部分１１３はもちろんのこと、感熱ロール紙の先端部がプリンタモジュールに引き出される部分１１７とガイド１２１による給紙口２０１までを同一面にし、更に閉時の交換用扉内側２０２までをも同一面にすることで、感熱ロール紙１０２のたるみが横方向へずれるのを完全に規制する。
【００５０】
そうすることにより感熱ロール紙１０２の外径サイズが最も大きいとき、つまり未使用時（新品時）の時のものでも完全に段差のない同一面で左右を規制されることになり、印字時つまりプリンタモジュール１０３が感熱ロール紙を引っ張り、回転している間に発生する横ずれを防止できる。さらにこの横壁は、別部材として取り付けるのではなく、筐体内の感熱ロール紙収納部分１２４の横壁で造形できることから部品的に増えるものではない。
【００５１】
なお、プリンタモジュールとして感熱用紙に印字を行うサーマルプリンタを例として説明したが、例えば、インクをノズルから噴射して印字を行うインクジェット方式の印字ヘッドを用いて、ロール状の記録用紙を収納するようなレストランプリンタにも、本発明は適用可能である。
【００５２】
また、レストランプリンタを一例として説明したが、本発明に係るプリンタは、レストランにて使用される上記のようなプリンタのみでなく、本発明の主旨に沿って構成されるすべての用途のプリンタにも適用可能である。
【００５３】
【発明の効果】
以上説明したように、本発明により、感熱ロール紙のセット時に起こりうるロールたるみによる感熱ロール紙の搬送不良によるモーターのロック・印字伝票の左右端面の折れ曲がりを防止するだけではなく、プラテンローラ駆動に必要なモータートルクに十分な余裕ができた。これは、印字位置の安定化につながり、モーターの消費電力の軽減にもなるという効果がある。また、本来の感熱ロール紙の落としこみだけでよい紙装着方法を部品点数を増やすことなく信頼性を高めるという効果がある。
【図面の簡単な説明】
【図１】本発明に係るレストランプリンタの横側面を示す断面図である。
【図２】本発明のレストランプリンタの横壁の構造を説明する概略構造図である。
【図３】従来のレストランプリンタの断面図である。
【符号の説明】
１０１  レストランプリンタ
１０２  感熱ロール紙
１０３  プリンタモジュール
１０４  オートカッタ
１０５  伝票排出口
１０６  印字ヘッド
１０７  プラテンローラ
１０８  可動刃
１０９  固定刃
１１０  印字された感熱ロール紙
１１１  交換用扉
１１２  ヒンジ
１１３  Ｕ字形の部分
１１４  テフロンシート
１１５  感熱ロール紙の外周下面
１１６  ストッパ
１１７  ロール紙の引き出し部分
１１８  プリンタモジュール自体の給紙口
１１９  アンテナ
１２０  制御基板
１２１  先端部ガイド
１２２  プラテンローラ取り付け部分等のくぼみ部分
１２３  根本部ガイド
１２４  感熱ロール紙収納部
２０１  ガイド１２１により構成される給紙口
２０２  交換用扉内側
【図１】
2004306561.tif 000003
【図２】
2004306561.tif 000004
【図３】
2004306561.tif 000005